(57)【特許請求の範囲】
【請求項１】
情報を前方に向けて表示する表示部（１１）と、
発光する発光部（６１）と、を備え、
前記表示部は、
前方を向き前記情報が表示される前面（４２ａ）を有する表示ベース部（４２）と、
前記表示ベース部の周縁部から前方に向けて延び、光の反射率が前記表示ベース部よりも高い表示延出部（４４）と、を有しており、
前記発光部は、前記表示ベース部の前側に配置され、前記表示ベース部の前記前面の周縁部に沿って延びており、
前記表示延出部は、前記発光部の周縁部に沿って延び、前記発光部よりも前方に突出していることを特徴とする表示装置。
【請求項２】
前記表示部は、前記表示延出部の周縁部に沿って延びるヘアラインを前記表示延出部の内周面（４４ａ）に対して付与したヘアライン層（２２，７２）を有していることを特徴とする請求項１に記載の表示装置。
【請求項３】
前記表示部は、光沢を有するメタリック色を前記表示延出部の内周面（４４ａ）に対して付与したメタリック層（２２）を有していることを特徴とする請求項１又は２に記載の表示装置。
【請求項４】
前記発光部は、前記表示延出部に向けて発光する対向面（６１ａ）を有し、前記表示ベース部から前方に突出していることを特徴とする請求項１〜３のいずれか一項に記載の表示装置。
【請求項５】
前記表示ベース部に沿って回転する指針（４８）を備え、
前記発光部は、前記指針の先端部の移動軌跡（Ｎ）に沿って延びていることを特徴とする請求項１〜４のいずれか一項に記載の表示装置。
【請求項６】
前記表示部の後面に重ねて設けられ、前記表示部に向けて光を放出する導光板と、
前記表示部及び前記導光板を貫通した状態で前記発光部を支持している支持部（６２）と、
前記支持部が前方に移動することを規制する規制部（６３）と、を備え、
前記発光部は、前記表示部及び前記導光板を挟んで前記支持部とは反対側に設けられ、前記導光板からの光の放出に伴って発光するものであることを特徴とする請求項１〜５のいずれか一項に記載の表示装置。
【請求項７】
前記表示部の後方に配置された光源（５５）を備え、
前記表示部は、透光性を有していることで前記光源からの光を前方に放出するものであり、前記表示部においては、前記表示延出部の周縁部に近付くにつれて徐々に透光率が大きくなっていることを特徴とする請求項１〜６のいずれか一項に記載の表示装置。
【発明の詳細な説明】
【技術分野】
【０００１】
本発明は、表示部を備えた表示装置に関する。
【背景技術】
【０００２】
従来から、各種情報を表示する表示部を備えた表示装置が知られている。例えば特許文献１には、車両に搭載される表示装置について記載されており、この表示装置は、指針に対して設けられた文字板と、文字板の後方に配置された光源とを有している。この文字板は、光透過性を有する材料により平板状に形成されており、光源の光が文字板を通じて前方に放出されるようになっている。この場合、文字板に表示された目盛りや数字が発光表示されることになる。
【先行技術文献】
【特許文献】
【０００３】
【特許文献１】特開２００２−１２０５６号公報
【発明の概要】
【発明が解決しようとする課題】
【０００４】
しかしながら、平板状の文字板が光源によって後方から照らされる構成では、文字板に付与された目盛りや数字の視認性を高めることはできても、表示装置の見栄えを高めることに関して、改善の余地がある。
【０００５】
本発明は、上記問題を鑑みてなされたもので、その目的は、光を利用して表示装置の見栄えを好適に高めることにある。
【課題を解決するための手段】
【０００６】
以下、課題を達成するための発明の技術的手段について、説明する。なお、発明の技術的手段を開示する特許請求の範囲及び本欄に記載された括弧内の符号は、後に詳述する実施形態に記載された具体的手段との対応関係を示すものであり、発明の技術的範囲を限定するものではない。
【０００７】
上述の課題を解決するために開示された発明は、
情報を前方に向けて表示する表示部（１１）と、
発光する発光部（６１）と、を備え、
表示部は、
前方を向き情報が表示される前面（４２ａ）を有する表示ベース部（４２）と、
表示ベース部の周縁部から前方に向けて延び、光の反射率が表示ベース部よりも高い表示延出部（４４）と、を有しており、
発光部は、表示ベース部の前側に配置され、表示ベース部の前面の周縁部に沿って延びており、
表示延出部は、発光部の周縁部に沿って延び、発光部よりも前方に突出していることを特徴とする。
【０００８】
この発明によれば、表示延出部が表示ベース部から前方に向けて延びていることで、表示部の立体構造が実現されている。しかも、表示ベース部の前側に発光部が配置されているため、この発光部が発光した場合に、その光が表示延出部にて反射することになる。この場合、発光部から放出されて直接的にユーザに届く光と、表示延出部にて反射してからユーザに届く光との両方の光によって、表示装置の見栄えを高めることができる。さらに、表示ベース部においては光が反射しにくくなっていることに起因して、発光部の明るさが表示ベース部の存在によって際立ちやすくなっている。この場合、発光部の光により、その発光部が表示ベース部から前方に浮かび上がったような立体感を醸し出すことができる。以上のように、光を利用して表示装置の見栄えを好適に高めることができる。
【図面の簡単な説明】
【０００９】
【図１】第一実施形態における車両用表示装置の正面図。
【図２】車両用表示装置の断面図であって、図１のII−II線断面図。
【図３】第二メータ周辺の車両用表示装置の拡大断面図。
【図４】第二実施形態における車両用表示装置の正面図。
【図５】第二メータ周辺の車両用表示装置の拡大断面図。
【発明を実施するための形態】
【００１０】
以下、本発明の複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１１】
（第一実施形態）
図１、図２に示すように、本発明の第一実施形態による車両用表示装置１０は、車両に関連した車両情報を表示するコンビネーションメータとして、車両の車室内のうちインストルメントパネルに設置されている。この場合、車両用表示装置１０は、運転席等の座席の前方位置においてその表示側が座席側を向いた状態になっており、座席側を車両用表示装置１０にとっての前方として、車両情報を前方に向けて表示可能になっている。
【００１２】
車両用表示装置１０は、表示面を運転席側に向けて設置された表示板１１と、表示板１１を支持したケース１２と、ケース１２の前側に設けられた見返し部材１３と、見返し部材１３の開放部分を前方から覆ったカバー１４とを有している。車両用表示装置１０においては、表示板１１を収納した収納体がケース１２、見返し部材１３及びカバー１４により形成されている。
【００１３】
図３に示すように、表示板１１は、その前面を形成した表示基材２１と、表示基材２１の後面に印刷により形成された印刷層２２とを有している。表示基材２１は、ポリカーボネート樹脂等により板状に形成されており、印刷層２２は、色料、着色材、添加材により形成されている。表示基材２１が透光性を有している一方で、印刷層２２が遮光性を有しており、表示板１１においては、印刷層２２の付与態様に応じて透光率の異なる部分が存在している。
【００１４】
印刷層２２による遮光率は、色の濃淡により設定されている。本実施形態の印刷層２２は、シルバー系の印刷色を有しており、彩度や明度が低いほど遮光率が高くなっている。つまり、シルバー系のうち彩度や明度の低い色の部分については、彩度や明度の高い色の部分に比べて遮光率が高くなっている。
【００１５】
図２に示すように、ケース１２は、前方に向けて開放された箱体であり、表示板１１は、ケース１２の開放側を前方から塞いだ状態で設けられている。ケース１２は、このケースの前側端部から後方に向けて延びた前側側面部１２ａと、底部から前方に向けて延びた後側側面部１２ｂとを有している。前側側面部１２ａは、後側側面部１２ｂよりも外周側に配置されており、これら前側側面部１２ａと後側側面部１２ｂとの間には段差が形成されている。
【００１６】
見返し部材１３は、前後方向に開放された筒状部材であり、ケース１２の前側に設けられている。なお、見返し部材１３を、表示板１１の前方空間を区画した区画板部や、前方空間を囲んだ囲み板部と称することもできる。ケース１２及び見返し部材１３は、いずれも合成樹脂材料により形成されており、不透光性を有している。
【００１７】
表示板１１は、ケース１２の前側側面部１２ａの前側に配置されており、この前側側面部１２ａと見返し部材１３とに挟み込まれた状態でケース１２に対して固定されている。
【００１８】
カバー１４は、合成樹脂材料やガラス材料により形成され、透明性を有している。カバー１４は、見返し部材１３の開放部分を前方から覆った状態で、その見返し部材１３に取り付けられている。
【００１９】
図１、図２に示すように、車両用表示装置１０は、左右に配置されたメータ３１，３２と、これらメータ３１，３２の間に配置された中間表示部３３とを有している。これらメータ３１，３２及び中間表示部３３は、それぞれ車両情報を表示することが可能になっている。具体的には、第一メータ３１は、車両情報として車両の走行速度を表示するスピードメータであり、正面視で左寄りの位置に配置されている。第二メータ３２は、車両情報として車両エンジンの回転数を表示するタコメータであり、正面視で右寄りの位置に配置されている。中間表示部３３は、ナビゲーション画像やサイドミラーに映る画像、車載バッテリの電力残量、警告などを表示することが可能になっている。
【００２０】
中間表示部３３は、表示板１１の後側に配置された矩形状の液晶パネル３５と、液晶パネル３５を後面及び側端面を覆う遮光板３６とを有している。遮光板３６は、遮光性を有しており、液晶パネル３５から後方や側方に光が漏れることを規制している。
【００２１】
液晶パネル３５は、液晶が保持された液晶層、液晶層の両側に配置された一対の電極、カラーフィルタ基板、及び一対の偏光フィルムを有して構成された、ＴＦＴ液晶パネルである。電極は、行電極及び列電極を組合せたマトリクス電極であり、画素毎に設けられた透明電極で構成され、電極に印加される電圧は薄膜トランジスタにより制御される。カラーフィルタ基板は、赤色フィルタ、緑色フィルタ及び青色フィルタを有し、各フィルタは画素毎（電極毎）に配置されている。また、各画素をオンオフする図示しない薄膜トランジスタ（ＴＦＴ）を備えている。偏光フィルムは、所定方向に振動する光を透過して光の振動方向を所定方向に規制するフィルタである。一対の偏光フィルムは、振動方向が９０度ずれるように配置されている。このＴＦＴ液晶パネルは公知の構造である。
【００２２】
表示板１１は、中間表示部３３に含まれた中間領域４１と、メータ３１，３２に含まれた複数のメータ領域４２と、中間領域４１及びメータ領域４２の外周側に設けられた加飾領域４４と、加飾領域４４の更に外周側に設けられた外周領域４５とを有している。
【００２３】
中間領域４１は、平板状に形成されており、液晶パネル３５の前面に重ねられている。中間領域４１においては、印刷層２２が設けられていないことで表示板１１の透光性が高く設定されており、表示板１１を通じて液晶パネル３５の画像を前方から視認可能になっている。なお、中間領域４１は、液晶パネル３５の表示面を保護する保護板としての役割を果たしている。
【００２４】
メータ領域４２は、円形状に形成された平板部であり、中間領域４１から側方に向けて延びている。この場合、メータ領域４２の前面４２ａは平坦面になっており、この前面４２ａと中間領域４１の前面４１ａとが同一平面を形成している。メータ領域４２は、液晶パネル３５の表示面に重ねられていない実体領域部４２ｂと、液晶パネル３５の表示面に重ねられた液晶領域部４２ｃとを有している。これら領域部４２ｂ，４２ｃは、いずれも円弧及び弦により囲まれた形状になっており、幅寸法については、実体領域部４２ｂの方が液晶領域部４２ｃよりも大きくなっている。この場合、メータ領域４２の中心線Ｏは実体領域部４２ｂに含まれている。
【００２５】
なお、表示板１１においては、液晶パネル３５の表示面に重なった部分がその表示面と同じ矩形状になっており、この矩形状の部分が中間領域４１及び液晶領域部４２ｃを有していることになる。
【００２６】
メータ３１，３２は、目盛りや数字等の指標４７ａ，４７ｂと、指標４７ａ，４７ｂを指し示す指針４８とを有している。指標４７ａ，４７ｂは、メータ領域４２の周縁部に沿って複数並べられており、印刷層２２の非設置部分により形成されている。指標４７ａは、実体領域部４２ｂに含まれた実体側指標４７ａであり、指標４７ｂは、液晶領域部４２ｃに含まれた液晶側指標４７ｂである。指標４７ａ，４７ｂは、同じ形状及び大きさの目盛りや同じ種類の数字を有しており、設置間隔が均一になっている。
【００２７】
なお、メータ領域４２を、指標４７ａ，４７ｂを有する指標部や指標盤、文字盤と称することができる。
【００２８】
加飾領域４４は、全体として外周側に向けて斜め前方に延びており、楕円筒状になっている。加飾領域４４の内周面４４ａは、全体として内周側の斜め前方を向いており、加飾領域４４は、中間領域４１及びメータ領域４２の周縁部に沿って延びている。この場合、中間領域４１及びメータ領域４２は、加飾領域４４の内周側に配置されており、外周領域４５は、加飾領域４４の外周端から外側に向けて延びている。なお、表示板１１の周縁部は外周領域４５により形成されており、ケース１２と見返し部材１３との間には外周領域４５が挟み込まれている。
【００２９】
加飾領域４４は、後方に向けて湾曲した後方湾曲部４４ｂと、前方に向けて湾曲した前方湾曲部４４ｃとを有している。後方湾曲部４４ｂは、中間領域４１及びメータ領域４２の周縁部から外周側に向けて斜め前方に延びており、前方湾曲部４４ｃは、後方湾曲部４４ｂの外周端から外周側に向けて斜め前方に向けて延びている。この場合、前方への延出寸法は、後方湾曲部４４ｂの方が前方湾曲部４４ｃよりも大きくなっており、前方湾曲部４４ｃは、後方湾曲部４４ｂと外周領域４５とを接続する接続部としての役割を果たしている。
【００３０】
加飾領域４４においては、後方湾曲部４４ｂと中間領域４１及びメータ領域４２との間に段差が存在しておらず、加飾領域４４の内周面４４ａと中間領域４１及びメータ領域４２の前面４１ａ，４２ａとが連続した状態で接続されている。また、前方湾曲部４４ｃと外周領域４５との間にも段差が存在しておらず、加飾領域４４の内周面４４ａと外周領域４５の前面４５ａとが連続した状態で接続されている。
【００３１】
表示板１１においては、印刷層２２が光沢を有していることで表示板１１の前面に光沢が付与されている。印刷層２２は、金属的な光沢が付与されたメタリック色を有しており、メタリック層を形成している。また、印刷層２２は、塗料やインクにアルミニウム粉などの金属粉が含まれていることなどにより光の反射性を有しており、金属粉の含有率によって光の反射率が異なるようになっている。
【００３２】
光の反射率は、メータ領域４２、加飾領域４４及び外周領域４５ごとに均一に設定されている。その一方で、加飾領域４４の反射率は、メータ領域４２及び外周領域４５の反射率よりも高く設定されている。
【００３３】
加飾領域４４の内周面４４ａには、印刷層２２によってヘアライン模様が付与されている。この場合、印刷層２２を形成する印刷が、ヘアライン模様を有するヘアライン印刷とされており、印刷層２２がヘアライン層を形成している。このため、印刷層２２は、メタリック層及びヘアライン層の両方に相当していることになる。加飾領域４４においては、単位面積当たりのヘアラインの設置数であるヘアライン密度は均一に設定されており、ヘアラインが加飾領域４４の外周端に沿って延びている。この場合、ヘアライン模様においては、多数の筋目が車両用表示装置１０の奥行き方向に並んでいることになる。
【００３４】
表示板１１においては、メータ領域４２及び外周領域４５の透光率が最も小さく、中間領域４１の透光率が最も大きくなっている。また、加飾領域４４においては、外周領域４５に近付くにつれて徐々に透光率が大きくなっている。具体的には、加飾領域４４においては、中間領域４１及びメータ領域４２との境界部の透光率が最も小さく、この透光率はこれら領域４１，４２とほぼ同じになっている。
【００３５】
メータ領域４２及び外周領域４５においては、彩度や明度が均一になるように印刷が行われることで印刷層２２が形成されている。これに対して、加飾領域４４においては、彩度や明度が外周領域４５に近付くにつれて徐々に高くなるようにグラデーション的にぼかし印刷が行われることで印刷層２２が形成されている。
【００３６】
なお、表示板１１については、平板状の基材に印刷を施した状態でその基材の空圧成型が行われることにより、加飾領域４４の湾曲形状が形成されている。また、メータ領域４２が表示ベース部に相当し、加飾領域４４が表示延出部に相当する。印刷層２２は、ヘアライン層及びメタリック層の両方に相当する。
【００３７】
指針４８は、メータ領域４２の前側に配置されており、各指針４８の回転軸線は、メータ領域４２の中心線Ｏに重なっている。指針４８において、中心線Ｏからの長さ寸法は、メータ領域４２の半径よりも小さくなっており、指針４８の先端部は、指標４７ａ，４７ｂの前方位置を通過する。なお、中心線Ｏは、車両用表示装置１０の奥行き方向に延びている。
【００３８】
車両用表示装置１０は、表示板１１の後方においてケース１２に収納された回路基板５１を有している。この回路基板５１には、指針４８を回転させるための駆動部５２が取り付けられている。駆動部５２は、指針軸部５３により指針４８に接続されており、指針軸部５３は、回路基板５１及び表示板１１の両方を貫通している。
【００３９】
また、車両用表示装置１０は、メータ領域４２の後方位置に設けられた光源としての発光ユニット５５と、発光ユニット５５の光を表示板１１に向けて放出する導光板５６とを有している。発光ユニット５５は、発光色の異なる複数のＬＥＤを発光体として有しており、回路基板５１の前面に実装されている。回路基板５１は、発光ユニット５５を発光させることが可能な発光回路を有しており、発光ユニット５５は、発光回路に対する指令信号に応じて所定の色で発光するようになっている。
【００４０】
導光板５６は、平板状に形成されており、メータ領域４２及び加飾領域４４の後方位置に配置されている。導光板５６は、ケース１２の後側側面部１２ｂに前方位置に配置されており、後側側面部１２ｂの前側端部に押し当てられた状態でケース１２に対して固定されている。
【００４１】
導光板５６においては、発光ユニット５５の光が後面から入射した場合、その光が内部を進むことで導光板５６の前面全体がほぼ同じ明るさで発光する。この場合、発光ユニット５５の光によりメータ領域４２のほぼ全体が後方から一様に照らされる。導光板５６は、メータ領域４２の後面に重ねられている一方で、加飾領域４４からは後方に離間している。加飾領域４４からの導光板５６の離間距離は、外周領域４５に近い部分ほど大きくなっている。
【００４２】
発光ユニット５５が発光した場合、実体側指標４７ａはその光を前方に放出することで発光表示される。これに対して、液晶側指標４７ｂは、液晶パネル３５が画像表示に伴って放出する光により発光する。この場合、液晶パネル３５においては、導光板５６からの光とほぼ同じ輝度及び色を放出するような画像が、液晶側指標４７ｂの後方位置に表示されるようになっている。
【００４３】
加飾領域４４においては、発光ユニット５５からの光の入射に伴う発光の輝度が、外周領域４５に近付くにつれて徐々に大きくなっており、この光により加飾領域４４にグラデーションが付与された状態になる。
【００４４】
なお、上述したように導光板５６が加飾領域４４から下方に離間しているが、導光板５６からの光は、その輝度が極端に小さくならずに加飾領域４４に到達するようになっている。このため、加飾領域４４の全体において、導光板５６からの光による輝度が適正に確保されることになる。この場合、導光板５６が加飾領域４４や外周領域４５の形状に合わせて特殊な形状を有している構成に比べて、導光板５６の製造コストを低減することが可能になる。
【００４５】
車両用表示装置１０は、メータ領域４２の周縁部に沿って延びた加飾リング部６１を有している。加飾リング部６１は、メータ３１，３２のそれぞれに対して設けられており、メータ領域４２の前面４２ａに重ねられている。この場合、加飾リング部６１は、メータ領域４２の実体領域部４２ｂと液晶領域部４２ｃとにかけ渡された状態になっており、加飾リング部６１における液晶領域部４２ｃ側の部分は、液晶パネル３５の前方位置に配置されていることになる。
【００４６】
加飾リング部６１は、導光体により形成されている。加飾リング部６１の外周面は、メッキ蒸着されたメッキ層により形成されており、このメッキ層は、シルバー系の色を有している。メッキ層は、透光性を有しており、加飾リング部６１の内部への光の出入りを可能にしている。なお、加飾リング部６１が発光部に相当する。
【００４７】
加飾リング部６１は、中心線Ｏを中心とした円形環状部材になっている。加飾リング部６１においては、その内周端の半径が、指針４８における中心線Ｏからの長さ寸法よりも大きくなっており、外周端の半径が、メータ領域４２の半径と同じになっている。この場合、加飾リング部６１は、指針４８の先端部の移動軌跡Ｎに沿って延びた形状になっているといえる。
【００４８】
加飾リング部６１は、メータ領域４２の前面４２ａに重ねられていることで、メータ領域４２から前方に突出した状態で設置されている。ここで、指針４８は、指針軸部５３が固定された指針ボス４８ａと、指針ボス４８ａから延びた長尺状の針部４８ｂとを有している。指針ボス４８ａは、扁平状の円筒部材であり、針部４８ｂは、指針ボス４８ａの周面部から側方に向けて延びている。この場合、メータ領域４２からの加飾リング部６１の突出寸法は、メータ領域４２からの指針ボス４８ａの突出寸法より小さく、且つメータ領域４２からの針部４８ｂの先端部の突出寸法と同じになっている。つまり、加飾リング部６１は、針部４８ｂの先端部よりも前方には突出していない。この場合、加飾リング部６１が障害物になって針部４８ｂの先端部の視認性が低下するということを抑制できる。
【００４９】
図３に示すように、車両用表示装置１０は、加飾リング部６１を支持する支持棒６２と、支持棒６２を表示板１１に対して固定する固定部材６３とを有している。支持棒６２及び固定部材６３は、いずれも不透光性の合成樹脂材料により形成されており、支持棒６２は、加飾リング部６１の後面から後方に向けて延び、メータ領域４２及び導光板５６のそれぞれに設けられた貫通孔６５を貫通して後方に突出している。この突出部分に対して固定部材６３が取り付けられており、固定部材６３は、貫通孔６５を通らない大きさ及び形状を有していることで、導光板５６の後面に引っ掛かった状態になっている。
【００５０】
支持棒６２及び固定部材６３は、加飾リング部６１に沿って所定間隔で複数ずつ配置されている。なお、支持棒６２が支持部に相当し、固定部材６３が引っ掛け部に相当する。
【００５１】
メータ領域４２には、導光板５６及び液晶パネル３５からの光を加飾リング部６１に向けて透過させるリング用透光部６７が設けられている。リング用透光部６７は、メータ領域４２において印刷層２２が設けられていない非設置部分であり、加飾リング部６１の後方位置に配置されている。リング用透光部６７は、加飾リング部６１に沿って延びており、加飾リング部６１の底面の形状及び大きさと同じ円形環状になっている。この場合、導光板５６及び液晶パネル３５からの光が加飾リング部６１の後面全体に入射される。なお、リング用透光部６７は、印刷層２２の非設置部分ではなく、印刷層２２の透光率が高くされた部分により形成されていてもよい。
【００５２】
加飾リング部６１は、断面略矩形状に形成されている。加飾リング部６１は、加飾領域４４側を向いた外周面６１ａと、指針４８側を向いた内周面６１ｂと、前方を向いた前面６１ｃと、斜め前方を向いた面取り面６１ｄとを有しており、外周面６１ａ及び内周面６１ｂは、メータ領域４２の前面４２ａに直交している。面取り面６１ｄは、加飾リング部６１の径方向において、前面６１ｃの内周側及び外周側のそれぞれに配置されており、外周面６１ａ及び内周面６１ｂと前面６１ｃとは各面取り面６１ｄにより接続されている。外周側の面取り面６１ｄは、外周面６１ａと共に加飾領域４４の内周面４４ａに向かい合った状態になっている。なお、外周面が加飾領域４４に向けて発光する対向面に相当する。
【００５３】
発光ユニット５５及び液晶パネル３５の少なくとも一方からの光が、リング用透光部６７を通じて加飾リング部６１の後面に入射された場合、加飾リング部６１においては、入射された光が内部を進むことで外周面６１ａ、内周面６１ｂ、前面６１ｃ及び面取り面６１ｄのそれぞれにおいて全体がほぼ同じ明るさで発光する。加飾リング部６１から放出された光は、メータ領域４２や加飾領域４４を照らすことになるが、特に、外周面６１ａと外周側の面取り面６１ｄから放出された光により加飾領域４４が明るく照らされることになる。
【００５４】
ここまで説明した第一実施形態の作用効果を、以下に説明する。
【００５５】
第一実施形態によれば、加飾領域４４が中間領域４１及びメータ領域４２の周縁部から外周側に向けて斜め前方に向けて延びているため、この加飾領域４４により表示板１１に立体構造が付与されている。しかも、加飾領域４４が反射性を有しているため、加飾リング部６１が発光した場合、加飾リング部６１から直接的にユーザに届く光と、加飾領域４４にて反射してからユーザに届く光との両方の光によって、車両用表示装置１０の見栄えを高めることができる。さらに、メータ領域４２の反射率が加飾領域４４に比べて小さくなっているため、加飾リング部６１の明るさがメータ領域４２の存在によって際立ちやすくなっている。したがって、加飾リング部６１がメータ領域４２から前方に浮かび上がったような立体感を醸し出すことができる。
【００５６】
第一実施形態によれば、加飾領域４４の内周面４４ａに対してヘアライン模様が付与されているため、このヘアライン模様により表示板１１の見栄えを高めることができる。しかも、ヘアライン模様においては、多数の筋目が車両用表示装置１０の奥行き方向に並んでいるため、加飾領域４４の前方への延出寸法以上の奥行き感や立体感をヘアライン模様によって醸し出すことができる。
【００５７】
第一実施形態によれば、加飾領域４４の内周面４４ａに対してメタリック色が付与されているため、このメタリック色により表示板１１の見栄えを高めることができる。また、この場合、メタリック色によって内周面４４ａに反射性が付与されているため、加飾リング部６１が発光している状態で、加飾領域４４にて反射してからユーザに届く光の輝度を適正に確保できる。しかも、印刷層２２においては、ヘアライン模様がメタリック色によって表現されているため、ヘアライン模様とメタリック色とが別々に表示板１１に対して付与された構成に比べて、表示板１１の製造コストを低減できる。
【００５８】
第一実施形態によれば、加飾領域４４の透光率が外周領域４５に近付くにつれて徐々に大きくなっているため、発光ユニット５５が発光している場合に、光によるグラデーションを加飾領域４４に付与することができる。この場合、加飾領域４４の前方への延出寸法以上の奥行き感や立体感を光のグラデーションによって顕著なものにすることができる。なお、加飾領域４４の内周面４４ａに対して光反射性が付与されているため、加飾領域４４においては透光による輝度がある程度低くても見栄え向上に関して大きな問題が生じない。このため、導光板５６を加飾領域４４の後面に重なる形状にする必要がないため、平板状の導光体を導光板５６として利用できる分だけ廉価版を実現できる。
【００５９】
第一実施形態によれば、加飾リング部６１が加飾領域４４の内周端に沿って延びているため、加飾領域４４の内周面４４ａにおいては、加飾リング部６１の光が広範囲に当たりやすくなっている。この場合、多くの光が加飾領域４４にて反射することになるため、その反射光による見栄えの向上効果を高めることができる。
【００６０】
第一実施形態によれば、加飾リング部６１の外周面６１ａが加飾領域４４の内周面４４ａに対向しているため、この外周面６１ａから放出された光が加飾領域４４にて反射する効率を高めることができる。しかも、メータ領域４２の前面４２ａに対して、加飾リング部６１の外周面６１ａが直交している一方で、加飾領域４４の内周面４４ａが外周側に拡がっているため、加飾領域４４にて反射した加飾リング部６１の光が前方に放出されやすい構成を実現できる。
【００６１】
第一実施形態によれば、加飾リング部６１がメータ領域４２から前方に浮かび上がったような立体感が付与された車両用表示装置１０において、加飾リング部６１が指針４８の先端部の移動軌跡Ｎに沿って延びている。このため、加飾リング部６１を目立たせることで運転者等のユーザの意識が指針４８に移行しやすい構成を実現できる。この場合、車両用表示装置１０の見栄えを高めること、及びユーザの安全意識を高めることの両方を加飾リング部６１により実現できる。
【００６２】
第一実施形態によれば、支持棒６２及び固定部材６３により加飾リング部６１が表示板１１及び導光板５６の両方に対して固定されている。このため、導光板５６から加飾リング部６１に光が入射する態様や、加飾リング部６１からの光が加飾領域４４にて反射する態様が不安的になることを回避できる。これにより、加飾リング部６１の発光に伴う見栄えの向上が安定したものになる。
【００６３】
（第二実施形態）
図４に示すように、第二実施形態の車両用表示装置１０においては、第一実施形態の車両用表示装置１０のように加飾リング部６１が円形環状部材になっているのではなく、加飾リング部６１が液晶パネル３５に向けて開放されたＣ字状になっている。この構成では、メータ領域４２が液晶領域部４２ｃを有しておらず、メータ領域４２の全体が実体領域部４２ｂにより形成されている。中間領域４１は、矩形状になっており、液晶パネル３５の表示面と同じ大きさ及び形状を有している。この場合、液晶パネル３５の前方には加飾リング部６１が存在しない構成になっている。
【００６４】
メータ３１，３２のそれぞれにおいて、メータ領域４２は、円弧及び弦により囲まれた形状になっている。第一メータ３１においては、指針４８が下向きをゼロ位置として右回りに回転し、第二メータ３２においては、指針４８が上向きをゼロ位置として左回りに回転する。
【００６５】
図５に示すように、加飾リング部６１は、導光板５６と一体的に形成されている。具体的には、導光板５６が前方に向けて突出した突出部を有しており、この突出部により加飾リング部６１が形成されている。この場合、表示板１１には、メータ領域４２の周縁部に沿って延びたリング用開口部７１が設けられており、導光板５６の突出部において、このリング用開口部７１を通じてメータ領域４２よりも前方に露出した部分が加飾リング部６１になっている。この場合、導光板５６に対してメッキ蒸着されることで加飾リング部６１にメッキ層が付与されている。また、加飾リング部６１は、断面矩形状に形成されており、面取り面６１ｄを有していない。
【００６６】
なお、リング用開口部７１は、第一実施形態のリング用透光部６７に変えて表示板１１に設けられたものである。ただし、加飾リング部６１がＣ字状に形成されていることに起因して、リング用開口部７１もＣ字状に形成されている。
【００６７】
加飾領域４４においては、印刷層２２がメタリック層及びヘアライン層の両方を形成しているのではなく、印刷層２２がメタリック層だけを形成し、表示基材２１の前側にヘアライン層７２が設けられている。ヘアライン層７２は、表示基材２１の前面に対して研磨等が施されることで形成された多数の溝部や筋目を有しており、これら溝部や筋目は、第一実施形態と同様に加飾領域４４の外周端に沿って延びている。なお、ヘアライン層７２は、ヘアライン印刷が施されることで形成されていてもよい。
【００６８】
第二実施形態によれば、加飾リング部６１と導光板５６とが一体的に形成されているため、これら加飾リング部６１及び導光板５６を表示板１１に対してまとめて取り付けることができる。したがって、車両用表示装置１０の製造に際して、加飾リング部６１及び導光板５６を表示板１１に対して別々に取り付けるという作業の手間を省くことができる。
【００６９】
第二実施形態によれば、加飾リング部６１が中間領域４１に向けて開放されたＣ字状に形成されているため、表示板１１において、メータ領域４２と中間領域４１とが接続された状態になっている。このため、表示板１１にリング用開口部７１が形成された構成でも、メータ領域４２を中間領域４１や加飾領域４４と一体的に形成することができる。このため、表示板１１において、メータ領域４２が中間領域４１や加飾領域４４とは別体で設置された構成に比べて、表示板１１を車両用表示装置１０に設置する作業の手間を省くことができる。
【００７０】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００７１】
変形例１では、加飾リング部６１とメータ領域４２との間に隙間が形成されていてもよい。この場合でも、支持棒６２及び固定部材６３により加飾リング部６１がメータ領域４２に固定された構成を実現できる。
【００７２】
変形例２では、加飾リング部６１が指針４８よりも前方に突出していてもよい。ただし、メータ領域４２に対する加飾リング部６１の延出寸法は、メータ領域４２に対する加飾領域４４の延出寸法よりも小さくされていることが好ましい。この場合、加飾リング部６１の陰に隠れて加飾領域４４が見えにくくなるということが生じにくいため、加飾領域４４による見栄えの向上が加飾リング部６１の存在によって損なわれるということを抑制できる。
【００７３】
変形例３では、上記各実施形態とは異なり、加飾リング部６１等の発光部がメータ領域４２の周縁部に沿って延びていなくてもよい。例えば、発光部が円柱形状や半球形状とされ、メータ領域４２の中央位置に配置された構成とする。この場合でも、発光部からの光が加飾領域４４の内周面４４ａにて反射する構成を実現できる。
【００７４】
変形例４では、上記各実施形態のように発光ユニット５５の光が入射されることで加飾リング部６１が発光するのではなく、加飾リング部６１がＬＥＤ等の光源を有していてもよい。例えば、加飾リング部６１が中空部を有しており、この中空部に光源が設置された構成とする。この構成では、加飾リング部６１が光源として発光することになる。
【００７５】
変形例５では、上記各実施形態とは異なり、メータ領域４２の前面４２ａが平坦面になっていなくてもよい。例えば、前面４２ａにおいては、その周縁部が中央部分よりも前方に配置された構成とする。この構成でも、メータ領域４２の前側に加飾リング部６１を配置することは可能である。
【００７６】
変形例６では、上記第一実施形態とは異なり、印刷層２２が表示基材２１の前側に配置されていてもよい。
【００７７】
変形例７では、メタリック層及びヘアライン層の両方が表示基材２１に対して設けられている構成において、これらメタリック層及びヘアライン層の位置関係は、上記第二実施形態に限られない。例えば、第二実施形態において、メタリック層を形成する印刷層２２が表示基材２１の前側に配置され、ヘアライン層７２が表示基材２１の後側に配置されていてもよい。また、メタリック層とヘアライン層とが互いに重ねられた状態で、表示基材２１の前側や後側に配置されていてもよい。
【００７８】
変形例８では、上記各実施形態のようにヘアライン模様が加飾領域４４の外周端に沿って延びているのではなく、メータ領域４２や加飾リング部６１の外周端に沿って延びていてもよい。この場合でも、ヘアライン模様において多数の筋目が車両用表示装置１０の奥行き方向に並んだ構成を実現できる。
【００７９】
変形例９では、加飾領域４４の反射率をメータ領域４２の反射率よりも大きくするべく、上記各実施形態のように加飾領域４４にメタリック層が付与されているのではなく、加飾領域４４の内周面４４ａに対して鏡面仕上げが施されていてもよい。この場合でも、この内周面４４ａに光の反射性を付与できる。
【００８０】
変形例１０では、ヘアライン模様とは異なる模様が加飾領域４４に対して付与されていてもよい。例えば、前方に向けて放射状に延びた縞模様が加飾領域４４に対して付与された構成とする。この場合でも、加飾領域４４について、縞模様により奥行き感を醸し出すことができる。
【００８１】
変形例１１では、上記各実施形態のように加飾領域４４が中間領域４１及びメータ領域４２の周囲を囲んだ形状になっているのではなく、加飾領域４４がメータ領域４２の周縁部全体を囲んだ形状になっていてもよい。この場合、加飾領域４４の内周面４４ａの全体に加飾リング部６１からの光が反射しやすい構成を実現できる。
【００８２】
変形例１２では、加飾リング部６１等の発光部が中間領域４１の前側に配置されていてもよい。例えば、加飾リング部６１が中間領域４１とメータ領域４２とに跨った状態で、これら領域４１，４２の前側に配置された構成とする。この構成では、中間領域４１及びメータ領域４２の両方が表示ベース部に相当することになる。
【００８３】
変形例１３では、上記各実施形態とは異なり、加飾領域４４が透光性を有していなくてもよい。この場合、加飾リング部６１からの光が加飾領域４４の内周面４４ａにて反射することを顕著なものにすることができる。
【００８４】
変形例１４では、上記各実施形態のように表示装置が車両用表示装置１０として車両に搭載されているのではなく、飛行機や船舶などに搭載されていてもよい。要は、表示装置は移動体に搭載可能なものであればよい。
【符号の説明】
【００８５】
１０…車両用表示装置、１１…表示板、２２…印刷層、４２…メータ領域、４２ａ…前面、４４…加飾領域、４４ａ…内周面、４８…指針、５５…発光ユニット、６１…加飾リング部、６１ａ…外周面、６２…支持棒、６３…固定部材、７２…ヘアライン層、Ｎ…移動軌跡。
【図１】
0006447377.tif 000002
【図２】
0006447377.tif 000003
【図３】
0006447377.tif 000004
【図４】
0006447377.tif 000005
【図５】
0006447377.tif 000006